(57)【要約】【課題】チクソトロピックな性質を有するワニスに対しても対応し得るワニス濾過フィルタを提供する。【解決手段】メッシュ状の複数の開口３を有し、ワニス内の浮遊物を除去し得るフィルタエレメント１と、これを覆うハウジング２とを具備し、フィルタエレメント１にワニスを通過せしめることにより、ワニス内の浮遊物を除去する本発明のワニス濾過フィルタにおいては、フィルタエレメント１通過前のワニスの揺動手段を備えるので、ワニスが、チクソトロピックな性質を有する場合においても、フィルタエレメント１通過前のワニスが、フィルタエレメント１の近傍で滞留することなく、フィルタ部分での固化を防止でき、結果として、フィルタの目詰まりを低減し、適切な大きさの開き目のフィルタを使用し易くするため、異物の除去が、確実に行なわれ、フィルタの長寿命化にも寄与し得ることとなる。【選択図】        図３
2004255251.tif 000002
【特許請求の範囲】
【請求項１】
メッシュ状の複数の開口を有し、ワニスの通過に際し、前記ワニス内の浮遊物を除去し得るフィルタエレメントと、これを覆うハウジングとを具備し、前記ハウジング内の前記フィルタエレメントにワニスを通過せしめることにより、前記ワニス内の浮遊物を除去するワニス濾過フィルタにおいて、前記フィルタエレメント通過前の前記ワニスの揺動手段を備えることを特徴とするワニス濾過フィルタ。
【請求項２】
前記ワニスの揺動手段として、前記ハウジング内のワニス流路の前記フィルタエレメント前段に回転可能な攪拌羽を具備することを特徴とする請求項１記載のワニス濾過フィルタ。
【請求項３】
前記フィルタエレメントが、メインフィルタと、前記ワニスの揺動手段である回動可能なプレフィルタとを含んで構成され、前記ハウジング内のワニス流路の前記メインフィルタ前段に前記回動可能なプレフィルタを配置し、前記メインフィルタ通過前のワニスを前記プレフィルタの回動により、揺動せしめることを特徴とする請求項１または請求項２記載のワニス濾過フィルタ。
【請求項４】
前記プレフィルタに、該プレフィルタの回動に伴って回動し前記メインフィルタ通過前のワニスを揺動せしめ得る攪拌翼を設けることを特徴とする請求項３記載のワニス濾過フィルタ。
【請求項５】
前記ワニスの揺動手段が、振動可能な前記フィルタエレメントであることを特徴とする請求項１乃至請求項４のいずれかに記載のワニス濾過フィルタ。
【請求項６】
前記ワニスの揺動手段が、超音波振動により振動可能な前記フィルタエレメントであることを特徴とする請求項５記載のワニス濾過フィルタ。
【請求項７】
前記ワニスの揺動手段が、カムの回転に伴う運動により振動可能な前記フィルタエレメントであることを特徴とする請求項５記載のワニス濾過フィルタ。
【請求項８】
前記フィルタエレメントが、外周壁にメッシュ状の複数の開口を有する円筒形状のフィルタ部材を備えることを特徴とする請求項１乃至請求項７のいずれかに記載のワニス濾過フィルタ。
【発明の詳細な説明】
【０００１】
【発明の属する技術分野】
本発明は、積層板等に使用するワニス濾過フィルタに関するものである。
【０００２】
【従来の技術】
従来より、プリント配線板等の製造に用いられる積層板等に使用するワニスの精製においては、ワニスの通過に際し、前記ワニス内の浮遊物を除去し得るフィルタエレメントと、これを覆うハウジングとを具備し、前記ハウジング内の前記フィルタエレメントにワニスを通過せしめることにより、前記ワニス内の浮遊物を除去するワニス濾過フィルタが使用され、通常、上記フィルタエレメントに使用し得るフィルタとして、プリーツ（カートリッジ型）の交換式のフィルタ、若しくは、バグフィルタ（袋状）のフィルタ等が、多用されている。
【０００３】
一方、かかる場合において、ワニスがチクソトロピックな性質を有する場合には、フィルタ部分で固化しやすく、また、フィルタが目詰まりし易く、▲１▼フィルタの寿命が短い。▲２▼目詰まりを回避するため、大きな開き目のフィルタしか使用できない。▲３▼かかる大きな開き目のフィルタを使用すると、金属異物等の大きな異物が、次工程に流れ出てしまう▲４▼ワニスが滞留しただけでも、ワニス粘度が高くなり、結果として、フィルタが、破れることがある等の問題が発生していた。
【０００４】
これらの問題については、例えば、フィルタの寿命を伸ばし、濾過物質の損失を低減するため、プレフィルタを設置し、多段的に濾過する方法については、特開平５−３１３０８号公報に開示され、また、フィルタに付着した粒子を直接的に、超音波照射により、払い落として濾過効率を上げる方法については、特開平６−７９１１４号公報に開示される等、具体的対応策の検討もなされているが、必ずしも、流体のチクソトロピックな性質に着目した対応策とは言い難い。
【０００５】
【特許文献１】
特開平５−３１３０８号公報  （第２頁  ［特許請求の範囲］、第２頁  段落［０００３］〜第３頁  段落［００２０］）
【特許文献２】
特開平６−７９１１４号公報  （第２頁  ［特許請求の範囲］、第２頁  段落［００１１］〜第５頁  段落［００４５］）
【０００６】
【発明が解決しようとする課題】
本発明は、かかる事由に鑑み、なされたもので、本発明の目的は、チクソトロピックな性質を有するワニスに対しても対応し得るワニス濾過フィルタを提供することにある。
【０００７】
【課題を解決するための手段】
上記課題を解決するために、請求項１に係るワニス濾過フィルタの発明にあっては、メッシュ状の複数の開口を有し、ワニスの通過に際し、前記ワニス内の浮遊物を除去し得るフィルタエレメントと、これを覆うハウジングとを具備し、前記ハウジング内の前記フィルタエレメントにワニスを通過せしめることにより、前記ワニス内の浮遊物を除去するワニス濾過フィルタにおいて、前記フィルタエレメント通過前の前記ワニスの揺動手段を備えることを特徴とするものである。
【０００８】
請求項２に係るワニス濾過フィルタの発明にあっては、請求項１記載のワニス濾過フィルタにおいて、前記ワニスの揺動手段として、前記ハウジング内のワニス流路の前記フィルタエレメント前段に回転可能な攪拌羽を具備することを特徴とするものである。
【０００９】
請求項３に係るワニス濾過フィルタの発明にあっては、請求項１または請求項２記載のワニス濾過フィルタにおいて、前記フィルタエレメントが、メインフィルタと、前記ワニスの揺動手段である回動可能なプレフィルタとを含んで構成され、前記ハウジング内のワニス流路の前記メインフィルタ前段に前記回動可能なプレフィルタを配置し、前記メインフィルタ通過前のワニスを前記プレフィルタの回動により、揺動せしめることを特徴とするものである。
【００１０】
請求項４に係るワニス濾過フィルタの発明にあっては、請求項３記載のワニス濾過フィルタにおいて、前記プレフィルタに、該プレフィルタの回動に伴って回動し前記メインフィルタ通過前のワニスを揺動せしめ得る攪拌翼を設けることを特徴とするものである。
【００１１】
請求項５に係るワニス濾過フィルタの発明にあっては、請求項１乃至請求項４のいずれかに記載のワニス濾過フィルタにおいて、前記ワニスの揺動手段が、振動可能な前記フィルタエレメントであることを特徴とするものである。
【００１２】
請求項６に係るワニス濾過フィルタの発明にあっては、請求項５記載のワニス濾過フィルタにおいて、前記ワニスの揺動手段が、超音波振動により振動可能な前記フィルタエレメントであることを特徴とするものである。
【００１３】
請求項７に係るワニス濾過フィルタの発明にあっては、請求項５記載のワニス濾過フィルタにおいて、前記ワニスの揺動手段が、カムの回転に伴う運動により振動可能な前記フィルタエレメントであることを特徴とするものである。
【００１４】
請求項８に係るワニス濾過フィルタの発明にあっては、請求項１乃至請求項７のいずれかに記載のワニス濾過フィルタにおいて、前記フィルタエレメントが、外周壁にメッシュ状の複数の開口を有する円筒形状のフィルタ部材を備えることを特徴とするものである。
【００１５】
【発明の実施の形態】
以下、本発明の実施形態を図面に基づき説明する。
【００１６】
［第１の実施形態］
図１に示すように、本発明の第１の実施形態におけるワニス濾過フィルタは、メッシュ状の複数の開口３を有し、ワニスの通過に際し、前記ワニス内の浮遊物を除去し得るフィルタエレメント１と、これを覆うハウジング２とを具備し、前記ハウジング２内の前記フィルタエレメント１にワニスを通過せしめることにより、前記ワニス内の浮遊物を除去するワニス濾過フィルタである（図１中、矢印は、ワニスの流れる方向を示す。）。  さらに、本発明の第１の実施形態におけるワニス濾過フィルタは、フィルタエレメント１通過前のワニスの揺動手段を備えることを特徴とするものである。
【００１７】
さらに、具体的には、本発明の第１の実施形態におけるワニス濾過フィルタは前記ワニスの揺動手段として、前記ハウジング２内のワニス流路の前記フィルタエレメント１の前段に回転可能な攪拌羽４を具備することを特徴とするものである。
【００１８】
すなわち、本実施形態のワニス濾過フィルタは、メッシュ状の複数の開口３を有し、ワニスの通過に際し、前記ワニス内の浮遊物を除去し得る、上端開口部１０と底面１１とを有する略筒型形状を有する籠型のフィルタエレメント１の内部、すなわち、前記ハウジング２内のワニス流路の前記フィルタエレメント１の前段（上流側）に回転可能な攪拌羽４を具備するものである。
【００１９】
この場合において、攪拌羽４の形状としては、例えば、所謂、パドル翼、プロペラ翼等を有するものが、好適に使用でき、また、回転速度については、ワニスの流体特性にも依存するが、一般には、攪拌羽の周速が、０．１〜１０ｍ／秒程度が好適である。
【００２０】
この結果、ワニスが、チクソトロピックな性質を有する場合においても、前記フィルタエレメント通過前のワニスが、フィルタエレメント１の近傍で滞留すること、およびこれに起因するフィルタ部分でのワニスの固化を防止でき、結果として、フィルタの目詰まりを低減し、適切な大きさの開き目のフィルタを使用し易くするため、異物の除去が、確実に行なわれ、フィルタの長寿命化にも寄与し得ることとなる。また、攪拌羽４を、フィルタエレメント１のフィルタ部分の内側に接触させるようにすれば、攪拌羽で、フィルタエレメント１のフィルタ部分表面のワニスに由来するワックス化した樹脂を掻き取ることも可能となり、上記効果は、さらに顕著なものとなる。
【００２１】
さらに、メッシュ状の複数の開口３を有し、ワニスの通過に際し、前記ワニス内の浮遊物を除去し得るフィルタエレメント１が、上端開口部１０と底面１１とを有する略筒型形状を有する籠型構造を有するので、汎用の円筒管（パイプ）等の入手容易な材料を使用して経済的に有利に生産し得るという利点を有する。
【００２２】
［第２の実施形態］
図２に示すように、本発明の第２の実施形態におけるワニス濾過フィルタは、上記第１の実施形態と同様に、メッシュ状の複数の開口３を有し、ワニスの通過に際し、前記ワニス内の浮遊物を除去し得るフィルタエレメント１と、これを覆うハウジング２とを具備し、前記ハウジング２内の前記フィルタエレメント１にワニスを通過せしめることにより、前記ワニス内の浮遊物を除去するワニス濾過フィルタであり、且つ、フィルタエレメント１通過前のワニスの揺動手段を備えることを特徴とするものである。
【００２３】
これは、フィルタエレメント１が、メインフィルタ１ａと、ワニスの揺動手段である回動可能なプレフィルタ１ｂとを含んで構成され、ハウジング２内のワニス流路のメインフィルタ１ａの前段にプレフィルタ１ｂを配置し、メインフィルタ１ａ通過前のワニスをプレフィルタ１ｂの回動により、揺動せしめるものである（図２中、矢印は、ワニスの流れる方向を示す。）。
【００２４】
さらに、フィルタエレメント１を構成するメインフィルタ１ａ、プレフィルタ１ｂともに、メッシュ状の複数の開口３を有し、ワニスの通過に際し、前記ワニス内の浮遊物を除去し得る、上端開口部１０と底面１１とを有する略筒型形状を有する籠型の形状として好適に形成し得る。
【００２５】
この場合において、プレフィルタ１ｂが、メインフィルタ１ａの内側（ワニス流路の上流側）で回動することにより、遠心力でワニスを外側（ワニス流路の下流側）に押し出す一方、、プレフィルタ１ｂで、比較的大きな異物を除去し、メインフィルタ１ａの目詰まりを防止し得るというものである。
【００２６】
このように、プレフィルタ１ｂおよびメインフィルタ１ａによって、多段的に濾過を行ない、濾過効率を高めるとともに、前記籠型のメインフィルタ１ａの内部、すなわち、前記ハウジング２内のワニス流路の前記メインフィルタ１ａの前段（上流側）に回動可能なプレフィルタ１ｂを配置することにより、ワニスが、チクソトロピックな性質を有する場合においても、メインフィルタ１ａ、プレフィルタ１ｂを含んで構成されるフィルタエレメント１通過前のワニスが、フィルタエレメント１の近傍（具体的には、プレフィルタ１ｂ前段およびプレフィルタ１ｂとメインフィルタ１ａの間の領域）で滞留すること、およびこれに起因するフィルタ部分でのワニスの固化を防止できることとなる。
【００２７】
この結果、フィルタの目詰まりを低減し、適切な大きさの開き目のフィルタを使用し易くするため、異物の除去が、確実に行なわれ、フィルタの長寿命化にも寄与し得ることとなる。
【００２８】
さらに、本実施形態のワニス濾過フィルタでは、前記プレフィルタ１ｂに、攪拌翼５を設けており、プレフィルタ１ｂの回動に伴ってこの攪拌翼５も回動し、メインフィルタ１ａ通過前のワニスを揺動せしめ得るので、メインフィルタ１ａ、プレフィルタ１ｂを含んで構成されるフィルタエレメント１通過前におけるワニスの、フィルタエレメント１の近傍（具体的には、プレフィルタ１ｂ前段およびプレフィルタ１ｂとメインフィルタ１ａの間の領域）での滞留、およびこれに起因するフィルタ部分でのワニス固化防止効果を、一層、強化し得ることとなる。
【００２９】
また、メッシュ状の複数の開口３を有し、ワニスの通過に際し、前記ワニス内の浮遊物を除去し得るメインフィルタ１ａ、プレフィルタ１ｂが、上端開口部１０と底面１１とを有する略筒型形状を有する籠型構造を有するので、汎用の円筒管（パイプ）等の入手容易な材料を使用して経済的に有利に生産し得るという利点を有する。なお、例えば、本実施形態におけるプレフィルタ１ｂの前段（ワニス流路の上流側）に、さらに、上記第１の実施形態と同様の攪拌羽４を設ける等の実施形態も可能であり、特に、制限されない。
【００３０】
［第３の実施形態］
図３に示すように、本発明の第３の実施形態におけるワニス濾過フィルタは、上記の実施形態と同様に、メッシュ状の複数の開口を有し、ワニスの通過に際し、前記ワニス内の浮遊物を除去し得るフィルタエレメント１と、これを覆うハウジング２とを具備し、前記ハウジング２内の前記フィルタエレメント１にワニスを通過せしめることにより、前記ワニス内の浮遊物を除去するワニス濾過フィルタであり、且つ、フィルタエレメント１通過前のワニスの揺動手段を備えることを特徴とするものであるが、本実施形態においては、このワニスの揺動手段が、振動可能な前記フィルタエレメント１であることを特徴とするものである（図３中、矢印は、ワニスの流れる方向を示す。）。
【００３１】
具体的には、本実施形態においては、前記ワニスの揺動手段が、超音波振動により振動可能な前記フィルタエレメント１であることを特徴とするものである。例えば、超音波をフィルタエレメント１に照射する等の工夫は、上記の通り、従来よりなされていたが、本実施形態では、超音波振動子６に直結したホーン７をフィルタエレメント１に直接接触させることで、より強力な振動を得るというものである。
【００３２】
このように、フィルタエレメント１自体が振動すれば、当然にフィルタエレメント１通過前のワニスも揺動することとなり、ワニスが、チクソトロピックな性質を有する場合においても、前記フィルタエレメント１通過前のワニスが、フィルタエレメント１の近傍で滞留すること、およびこれに起因するフィルタ部分でのワニスの固化を防止でき、結果として、フィルタの目詰まりを低減し、適切な大きさの開き目のフィルタを使用し易くするため、異物の除去が、確実に行なわれ、フィルタの長寿命化にも寄与し得ることとなる。
【００３３】
また、メッシュ状の複数の開口３を有し、ワニスの通過に際し、前記ワニス内の浮遊物を除去し得るフィルタエレメント１が、上端開口部１０と底面１１とを有する略筒型形状を有する籠型構造を有するので、汎用の円筒管（パイプ）等の入手容易な材料を使用して経済的に有利に生産し得るという利点を有する。
【００３４】
さらに、本実施形態におけるワニス濾過フィルタは前記ワニスの揺動手段として、前記ハウジング２内のワニス流路の前記フィルタエレメント１の前段に回転可能な攪拌羽４を具備しているが、例えば、本実施形態におけるフィルタエレメント１を上記実施形態と同様に、メインフィルタ１ａと、ワニスの揺動手段である回動可能なプレフィルタ１ｂとを含んで構成し、ハウジング２内のワニス流路のメインフィルタ１ａの前段にプレフィルタ１ｂを配置し、プレフィルタ１ｂおよびメインフィルタ１ａによって、多段的に濾過を行ない、濾過効率を高める実施形態、さらには、上記第２の実施形態と同様に、メインフィルタ１ａ通過前のワニスをプレフィルタ１ｂの回動により、揺動せしめる、或いは、このプレフィルタ１ｂに攪拌翼５を設ける等の実施形態も可能であり、特に、制限されない。
【００３５】
また、本実施形態においては、エアチェンバを、ワニス供給側に設け、ワニスの脈動を防止し、フィルタエレメント１のフィルタの破れを防止する実施形態、或いは、ヒーター１３で、フィルタエレメント１を加熱し、ワニス粘度を下げ、濾過効率を高める実施形態等も可能である。
【００３６】
［第４の実施形態］
図４に示すように、本発明の第４の実施形態におけるワニス濾過フィルタは、上記の実施形態と同様に、メッシュ状の複数の開口３を有し、ワニスの通過に際し、前記ワニス内の浮遊物を除去し得るフィルタエレメント１と、これを覆うハウジング２とを具備し、前記ハウジング２内の前記フィルタエレメント１にワニスを通過せしめることにより、前記ワニス内の浮遊物を除去するワニス濾過フィルタであり、且つ、フィルタエレメント１通過前のワニスの揺動手段を備えることを特徴とするものであるが、本実施形態においては、このワニスの揺動手段が、上記の第３の実施形態と同様に、振動可能な前記フィルタエレメント１であることを特徴とするものである（図４中、矢印は、ワニスの流れる方向を示す。）。
【００３７】
具体的には、本実施形態においては、前記ワニスの揺動手段が、カム８の回転に伴う運動により振動可能な前記フィルタエレメント１であることを特徴とするものである。すなわち、カム８を回転させ、これを直接フィルタエレメント１に接触させて、カム８の高低差を利用して、フィルタエレメント１を振動させるというものである。
【００３８】
このように、フィルタエレメント１自体が振動すれば、当然にフィルタエレメント１通過前のワニスも揺動することとなり、ワニスが、チクソトロピックな性質を有する場合においても、フィルタエレメント１通過前のワニスが、フィルタエレメント１の近傍で滞留すること、およびこれに起因するフィルタ部分でのワニスの固化を防止でき、結果として、フィルタの目詰まりを低減し、適切な大きさの開き目のフィルタを使用し易くするため、異物の除去が、確実に行なわれ、フィルタの長寿命化にも寄与し得ることとなる。
【００３９】
また、メッシュ状の複数の開口３を有し、ワニスの通過に際し、前記ワニス内の浮遊物を除去し得るフィルタエレメント１が、上端開口部１０と底面１１とを有する略筒型形状を有する籠型構造を有するので、汎用の円筒管（パイプ）等の入手容易な材料を使用して経済的に有利に生産し得るという利点を有する。
【００４０】
なお、図４においては、カム８を回転させ、これを直接フィルタエレメント１に接触させて、カム８の高低差を利用して、フィルタエレメント１を振動させるという構成を採用したが、図５（図５中、矢印は、ワニスの流れる方向を示す。）に示すようにカム８とフィルタエレメント１との間にシリンダ９を介在させる構成も当然に可能であり、制限されない。
【００４１】
【発明の効果】
以上のように、請求項１〜請求項７に係るワニス濾過フィルタの発明にあっては、メッシュ状の複数の開口を有し、ワニスの通過に際し、前記ワニス内の浮遊物を除去し得るフィルタエレメントと、これを覆うハウジングとを具備し、前記ハウジング内の前記フィルタエレメントにワニスを通過せしめることにより、前記ワニス内の浮遊物を除去するワニス濾過フィルタにおいて、前記フィルタエレメント通過前の前記ワニスの揺動手段を備えることを特徴とするので、ワニスが、チクソトロピックな性質を有する場合においても、前記フィルタエレメント通過前のワニスが、フィルタエレメントの近傍で滞留することなく、フィルタ部分での固化を防止でき、結果として、フィルタの目詰まりを低減し、適切な大きさの開き目のフィルタを使用し易くするため、異物の除去が、確実に行なわれ、フィルタの長寿命化にも寄与し得るという優れた効果を奏する。
【００４２】
請求項８に係るワニス濾過フィルタの発明にあっては、請求項１乃至請求項７のいずれかに記載のワニス濾過フィルタにおいて、前記フィルタエレメントが、外周壁にメッシュ状の複数の開口を有する円筒形状のフィルタ部材を備えることを特徴とするので、請求項１〜請求項７に係るワニス濾過フィルタの発明の効果に加えて、汎用の円筒管（パイプ）等の入手容易な材料を使用して経済的に有利に生産し得るという優れた効果を奏する。
【図面の簡単な説明】
【図１】本発明の第１の実施形態におけるワニス濾過フィルタの概略を模式的に示す断面図である。
【図２】本発明の第２の実施形態におけるワニス濾過フィルタの概略を模式的に示す断面図である。
【図３】本発明の第３の実施形態におけるワニス濾過フィルタの概略を模式的に示す断面図である。
【図４】本発明の第４の実施形態におけるワニス濾過フィルタの概略を模式的に示す図である。
【図５】本発明の上記と異なる実施形態におけるワニス濾過フィルタの概略を模式的に示す図である。
【符号の説明】
１      フィルタエレメント
１ａ    メインフィルタ（フィルタエレメント１）
１ｂ    プレフィルタ（フィルタエレメント１）
２      ハウジング
３      開口（フィルタエレメント１）
４      攪拌羽
５      攪拌翼（プレフィルタ１ｂ）
６      超音波振動子
７      ホーン
８      カム
９      シリンダ
１０      上端開口部（フィルタエレメント１）
１１      底面（フィルタエレメント１）
１２      攪拌モータ
１３      ヒータ
１４      パッキン
１５      プレフィルタ回転モータ
１６      回転伝達ギア
１７      メカニカルシール
１８      スプリング
１９      Ｏリング
２０      モータ
【図１】
2004255251.tif 000003
【図２】
2004255251.tif 000004
【図３】
2004255251.tif 000005
【図４】
2004255251.tif 000006
【図５】
2004255251.tif 000007